(57)【特許請求の範囲】
【請求項１】
使用者の自爪に人工爪を貼り付ける際に人工爪と自爪の間に設けられる人工爪用貼付材であって、
一方側に設けられた第１の粘着剤層と、
他方側に設けられた第２の粘着剤層と、
前記第１の粘着剤層と前記第２の粘着剤層の間に設けられたゲル状の基材層とを備えることを特徴とする人工爪用貼付材。
【請求項２】
前記第１の粘着剤層における前記基材層と反対側の表面に第１の離型材が設けられ、
前記第２の粘着剤層における前記基材層と反対側の表面に第２の離型材が設けられている請求項１に記載の人工爪用貼付材。
【請求項３】
前記第１の粘着剤層、前記第２の粘着剤層および基材層は、透明な材料からなる請求項１または請求項２に記載の人工爪用貼付材。
【請求項４】
前記第１の粘着剤層および／または第２の粘着剤層は、ゲル状のシリコン系粘着剤からなる請求項１から請求項３のいずれかに記載の人工爪用貼付材。
【請求項５】
前記基材層は、光硬化性樹脂からなる請求項１から請求項４のいずれかに記載の人工爪用貼付材。
【請求項６】
前記基材層は、２２７０Ｐａ・Ｓ〜６１７０Ｐａ・Ｓの粘度を有する請求項１から請求項５までのいずれかに記載の人工爪用貼付材。
【請求項７】
請求項１または請求項２に記載の人工爪用貼付材の製造方法であって、
粘着剤層の両側に離型材が設けられた第１の両面粘着テープから一方の離型材を剥離し、第１の両面粘着テープの粘着剤層を前記第１の粘着剤層として露出させる工程と、
露出した前記第１の粘着剤層にゲル状の前記基材層を設けることにより、前記第１の粘着剤層に前記基材層を積層する工程と、
粘着剤層の両側に離型材が設けられた第２の両面粘着テープから片側の離型材を剥離し、第２の両面粘着テープの粘着剤層を前記第２の粘着剤層として露出させる工程と、
露出した第２の粘着剤層を前記基材層に貼着することにより、前記第１の粘着剤層、前記基材層および前記第２の粘着剤層をこの順に積層する工程とを備えることを特徴とする人工爪用貼付材の製造方法。
【請求項８】
請求項２に記載の人工爪用貼付材の使用方法であって、
人工爪用貼付材から第１の離型材を剥離して、露出した第１の粘着剤層を使用者の自爪の表面または人工爪の裏面に貼着したあと、人工爪用貼付材から第２の離型材を剥離して、露出した第２の粘着剤層を人工爪の裏面または人口爪の表面に貼着することにより、使用者の自爪に人工爪用貼付材を介して人口爪を貼り付けることを特徴とする人工爪用貼付材の使用方法。  
【発明の詳細な説明】
【技術分野】
【０００１】
本発明は、使用者の自爪に人工爪を貼り付ける際に人工爪と自爪の間に設けられる人工爪用貼付材、その製造方法および使用方法に関するものである。
【背景技術】
【０００２】
昨今、主に女性の間でネイルアートが流行している。これは外観上見栄えの良い絵、文字、また平坦状の装飾品、例えば押し花、細粒石、カラーパウダー等を爪上に貼付して、ファッションとして楽しむものである。
【０００３】
また、従来、ネイルアートを楽しみたいが、自爪の硬度が弱いため伸ばすと折れてしまう、生まれつき爪が変形している、または、日常生活で爪を伸ばせない等の理由でネイルアートができない人や、ネイルアートをより綺麗に見せたい人のために人工爪が開発されている。
【０００４】
例えば、スカルプチュアと称される人工爪は、アクリルパウダーとモノマーを混合させゲル状にしたアクリル樹脂を自爪上に塗布して、筆塗りや筆盛りで整形した後、硬化させて得られるものである。ところが、上記した人工爪（スカルプチュア）は、次のような問題があった。
【０００５】
まず、人工爪を自爪に整形する際の問題として、人工爪と自爪の密着性を高めるために自爪の表面をヤスリで削るため、自爪が次第に薄くなっていく問題があった。また、整形の際に空中に拡散したアクリル樹脂の蒸気が使用者や施術者の呼吸器から体内に吸入されるといった健康上好ましくない問題もあった。さらにまた、施術に少なくとも２〜３時間の長時間を要するものであった。
【０００６】
また、人工爪を整形したあとの問題として、２〜３週間に１度、新しく生えた爪との隙間を埋めるフィルイン処理が必要であった。また、自爪の際や爪母側が浮いたままになりやすく、その隙間に水等が入ってカビが発生し、爪の病気を引き起こすこともあった。
【０００７】
さらに、人工爪を自爪から取り外す際の問題として、外的力によって人工爪を削るか、人工爪をアセトン等に浸して取り外す他ない。このため人工爪を削る場合は、空中に飛散したアクリル樹脂の粉末が使用者や施術者の呼吸器から体内に吸入されるといった健康上好ましくない問題があった。また、人工爪をアセトン等に浸す場合は、アセトン等により自爪や皮膚が相当なダメージ受けざるを得なかった。
【０００８】
そこで、チップネイルと称される人工爪が知られている。この人工爪は、予め所定形状に整形した人工爪を複数用意しておき、その中から使用者の自爪の形状に最も適合する人工爪を選択して、人工爪を両面テープを介して自爪に貼り付ける（特許文献１参照）。
【先行技術文献】
【特許文献】
【０００９】
【特許文献１】特開２００４−２５４８７７
【発明の概要】
【発明が解決しようとする課題】
【００１０】
しかしながら、人工爪を自爪に貼り付ける際に使用される両面テープは、一般に厚み方向の中央にシート状の基材層を有しており、この基材層が剛性を有することにより湾曲しにくいため、両面テープが湾曲形状の自爪の表面に十分に追従しにくかった。このため、人工爪を自爪に貼り付けたときに両面テープにしわが生じ、このしわが人工爪上から視認されるため、人工爪を自爪に装着したときの外観が損なわれるという問題があった。
【００１１】
本発明は、上述の技術的背景に鑑みてなされたものであり、使用者の自爪に人工爪を綺麗に貼り付けることができる人工爪用貼付材、その製造方法およびその使用方法を提供することを目的とする。
【課題を解決するための手段】
【００１２】
本発明は、上記目的を達成するために、使用者の自爪に人工爪を貼り付ける際に人工爪と自爪の間に設けられる人工爪用貼付材であって、一方側に設けられた第１の粘着剤層と、他方側に設けられた第２の粘着剤層と、前記第１の粘着剤層と前記第２の粘着剤層の間に設けられたゲル状の基材層とを備えることを特徴とする。
【００１３】
これによれば、ゲル状の基材層が容易に湾曲するため、人工爪用貼付材が湾曲形状の自爪の表面に十分に追従する。このため、人工爪用貼付材にしわが生じないため、人工爪を自爪に綺麗に貼り付けることができる。
【００１４】
また、前記第１の粘着剤層における前記基材層と反対側の表面に第１の離型材が設けられ、前記第２の粘着剤層における前記基材層と反対側の表面に第２の離型材が設けられているのが好ましい。これによれば、人工爪用貼付材から第１の離型材および第２の離型材を剥離することにより、人工爪を自爪に簡単に張り付けることができる。
【００１５】
また、前記第１の粘着剤層、前記第２の粘着剤層および基材層は、透明な材料からなるのが好ましい。これによれば、人工爪用貼付材が透明となるため、人工爪を自爪に貼り付けた状態において、人工爪の上から自爪が透けて見え、特に無色透明な場合には人工爪が自爪のように自然なピンク色の外観を有することができる。
【００１６】
また、前記第１の粘着剤層および／または第２の粘着剤層は、ゲル状のシリコン系粘着剤からなるのが好ましい。これによれば、シリコン系粘着剤が液状の有機溶剤を含まず低アレルギー性であるため、有機溶剤が使用者の体内に滲入することや、使用者にアレルギー症状が生じるのを防止することができる。また、このシリコン系粘着剤は柔軟性を有するとともに所定の温度（例えば４５℃以上）の湯に浸されると粘着性が低下するため、使用者は人工爪を自爪に貼り付けた状態で所定温度（例えば４５℃以上）の湯に浸すことにより、自爪にダメージを与えることなく人工爪を簡単に取り外すことができる。また、このシリコン系粘着剤は耐水性を有するため、使用者が人工爪を自爪に貼り付けた状態で手洗いや水仕事をすることができる。
【００１７】
また、前記基材層は、光硬化性樹脂からなるのが好ましい。これによれば、適度な柔らかさおよび厚みのゲル状の基材層を簡単かつ確実に設けることができる。
【００１８】
また、前記基材層は、２２７０Ｐａ・Ｓ〜６１７０Ｐａ・Ｓの粘度を有するのが好ましい。これによれば、ゲル状の基材層が適度な柔らかさを備えることにより、人工爪用貼付材が湾曲形状の自爪の表面に確実に追従することができる。
【００１９】
また、本発明に係る人工爪用貼付材の製造方法は、粘着剤層の両側に離型材が設けられた第１の両面粘着テープから一方の離型材を剥離し、第１の両面粘着テープの粘着剤層を前記第１の粘着剤層として露出させる工程と、露出した前記第１の粘着剤層にゲル状の前記基材層を設けることにより、前記第１の粘着剤層に前記基材層を積層する工程と、粘着剤層の両側に離型材が設けられた第２の両面粘着テープから片側の離型材を剥離し、第２の両面粘着テープの粘着剤層を前記第２の粘着剤層として露出させる工程と、露出した第２の粘着剤層を前記基材層に貼着することにより、前記第１の粘着剤層、前記基材層および前記第２の粘着剤層をこの順に積層する工程とを備えることを特徴とする。これによれば、人工爪用貼付材を簡単かつ確実に製造することができる。
【００２０】
また、本発明に係る人工爪用貼付材の使用方法は、人工爪用貼付材から第１の離型材を剥離して、露出した第１の粘着剤層を使用者の自爪の表面または人工爪の裏面に貼着したあと、人工爪用貼付材から第２の離型材を剥離して、露出した第２の粘着剤層を人工爪の裏面または人工爪の表面に貼着することにより、使用者の自爪に人工爪用貼付材を介して人工爪を貼り付けることを特徴とする。これによれば、人工爪を自爪に簡単かつ確実に貼り付けることができる。
【発明の効果】
【００２１】
本発明によれば、ゲル状の基材層が容易に湾曲するため、人工爪用貼付材が湾曲形状の自爪の表面に十分に追従する。このため、人工爪用貼付材にしわが生じないため、人工爪を自爪に綺麗に貼り付けることができる。
【００２２】
また、ゲル状の基材層の厚みを調整することにより、人工爪用貼付材の厚み、硬さおよび柔軟性を自由に調整することができ、人工爪用貼付材の製品のラインナップを豊富にすることも可能となる。
【００２３】
また、人工爪を自爪に取り付ける際、自爪の表面をヤスリで削る必要がないため、次第に自爪が薄くなっていくといった問題を解消することができる。また、施術者自身が人工爪を自爪に取り付ける場合であっても、利き手の施術を一人で簡単に行うことができる。さらに、アクリル樹脂の蒸気が空中に拡散しないため、使用者や施術者がアクリル樹脂の蒸気を吸入するといった問題が生じない。さらにまた、施術に２〜３時間といった長時間を要さず、短時間で施術を完了することができる。
【００２４】
また、人工爪を自爪に取り付けたあとも、２〜３週間といった長期間に亘って取り付ける必要がないため、新しく生えた爪との隙間が生じずフィルイン処理が不要である。また、自爪の際や爪母側が浮いたままにならないため、隙間に水等が入ってカビが発生するといった問題が生じない。
【００２５】
また、人工爪を自爪から取り外す際、自爪に人工爪を取り付けた状態で指を湯に浸すことにより、自爪にダメージを与えることなく人工爪を簡単に取り外すことができる。
【００２６】
したがって、本人工爪用貼付材の使用者は、いつでも簡単かつ安全に自爪を人工爪により装飾することができ、より日常的にネイルアートを楽しむことが可能となる。
【図面の簡単な説明】
【００２７】
【図１】本発明に係る人工爪用貼付材の（ａ）斜視図、（ｂ）断面図である。
【図２】人工爪用貼付材の製造方法を説明する断面図である。
【図３】人工爪用貼付材の使用方法を説明する斜視図および断面図である。
【発明を実施するための形態】
【００２８】
次に、本発明に係る人工爪用貼付材（以下、本貼付材１という）について図１〜図３を参照しつつ説明する。
【００２９】
本貼付材１は、図１に示すように、使用者の指Ｆの自爪Ｎに人工爪Ａを貼り付ける際に人工爪Ａと自爪Ｎの間に設けられるシート状の貼付材である。なお、人工爪Ａは、合成樹脂とモノマーによる混合液状物を硬化させて整形されたものであり、使用者の指Ｆの自爪Ｎに貼り付ける前または貼り付けた後において、顔料により着色されたり、ストーンにより装飾されたりする。
【００３０】
本貼付材１は、一方側に設けられた第１の粘着剤層１１と、他方側に設けられた第２の粘着剤層１２と、第１の粘着剤層１１と第２の粘着剤層１２の間に設けられたゲル状の基材層１３とを備える。なお、本明細書中において、「一方側」とは図１〜図３の下側をいい、「他方側」とは図１〜図３の上側をいう。また、「ゲル」とは固体の溶質が液状の溶媒に均一に分散した粘性を有する物体をいい、架橋された高分子の内部に液状の溶媒が吸収されている高分子ゲルを含む。
【００３１】
また、本貼付材１は、第１の粘着剤層１１における基材層１３と反対側の表面１１ａに第１の離型材１０１が設けられ、第２の粘着剤層１２における基材層１３と反対側の表面１２ｂに第２の離型材２０１が設けられている。このため、本貼付材１から第１の離型材１０１および第２の離型材１０２を剥離することにより、人工爪Ａを自爪Ｎに簡単に張り付けることができる。  
【００３２】
また、本貼付材１は、平面方向の輪郭が自爪Ｎの輪郭に沿う形状に形成されており、平面方向の一方側が略長円状の輪郭を有し、他方側が略矩形状の輪郭を有している。
【００３３】
前記第１の粘着剤層１１は、基材層１３と反対側の表面１１ａに設けられた第１の離型材１０１が剥離され、露出した表面１１ａが自爪Ｎに貼着される。この第１の粘着剤層１１は、例えば０．２ｍｍ〜０．４ｍｍの均一な厚みを有し、粘性を有するゲル状のシリコン系粘着剤からなる。このため、シリコン系粘着剤が液状の有機溶剤を含まず低アレルギー性であるため、有機溶剤が使用者の体内に滲入することや、使用者にアレルギー症状が生じるのを防止することができる。また、このシリコン系粘着剤は柔軟性を有するとともに所定の温度（例えば４５℃以上）の湯に浸されると粘着性が低下するため、使用者は人工爪Ａを自爪Ｎに貼り付けた状態で所定温度（例えば４５℃以上）の湯に浸すことにより、自爪Ｎにダメージを与えることなく人工爪Ａを簡単に取り外すことができる。また、このシリコン系粘着剤は耐水性を有するため、使用者が人工爪Ａを自爪Ｎに貼り付けた状態で手洗いや水仕事をすることができる。なお、第１の粘着剤層１１は、シリコン系粘着剤に限定されるものではなく、例えばアクリル系粘着剤などのその他の粘着剤であってもよい。
【００３４】
前記第２の粘着剤層１２は、基材層１３と反対側の表面１２ｂに設けられた第２の離型材２０１が剥離され、露出した表面１２ｂが人工爪Ａに貼着される。この第２の粘着剤層１２は、材質・厚さ・粘着力が第１の粘着剤層１１と同様であるため、これらの説明を省略する。
【００３５】
前記基材層１３は、本貼付材１の厚み方向の中央部に配置される層であって、一方側の表面１３ａが第１の粘着剤層１１の他方側の表面１１ｂに密着し、他方側の表面１３ｂが第２の粘着剤層１２の一方側の表面１２ａに密着している。
【００３６】
また、前記基材層１３は、第１の粘着剤層１１の他方側の表面１１ｂにゲル状の材料を塗布することにより、第１の粘着剤層１１の表面１１ｂ上に積層される。本実施形態では、前基材層１３がゲル状の光硬化性樹脂からなるため、適度の柔らかさおよび厚みのゲル状の基材層１３を簡単かつ確実に設けることができる。
【００３７】
また、前記基材層１３は、例えば２２７０Ｐａ・Ｓ〜６１７０Ｐａ・Ｓの粘度を有している。このため、ゲル状の基材層１３が適度な柔らかさを備えることにより、本貼付材１が湾曲形状の自爪Ｎの表面に確実に追従することができる。
【００３８】
また、前記基材層１３は、例えば０．２ｍｍ〜０．９ｍｍの均一な厚さを有している。このため、本貼付材１が適度な厚みと固形性を有し、本貼付材１の加工および取り扱いが容易となる。なお、また、基材層１３の厚みを調整することにより、本貼付材１の厚みを自由に調整することができ、本貼付材１の製品のラインナップを豊富にすることも可能となる。
【００３９】
また、第１の粘着剤層１１、第２の粘着剤層１２および基材層１３は、透明な材料からなる。このため、本貼付材１が透明となるため、人工爪Ａを自爪Ｎに貼り付けた状態において、人工爪Ａの上から自爪Ｎが透けて見え、特に無色透明な場合は人工爪Ａが自爪Ｎのように自然なピンク色の外観を有することができる。
【００４０】
次に、本貼付材１の製造方法について図２を参照しつつ説明する。
【００４１】
まず、図２（ａ）に示すように、芯材としての粘着剤層の両側に離型材１０１，１０１が設けられた第１の両面粘着テープ１００を用意する。
【００４２】
次に、図２（ｂ）に示すように、第１の両面粘着テープ１００から他方側の離型材１０１を剥離し、第１の両面粘着テープ１００の粘着剤層を第１の粘着剤層１１として露出させる。なお、剥離されていない一方側の離型材１０１は、本貼付材１において第１の離型材１０１として機能する。
【００４３】
次に、図２（ｃ）に示すように、露出した第１の粘着剤層１１の他方側の表面１１ｂにゲル状の光硬化性樹脂を塗布することにより、第１の粘着剤層１１の上にゲル状の基材層１３を積層する。
【００４４】
次に、図２（ｄ）に示すように、芯材としての粘着剤層の両側に離型材２０１，２０１が設けられた第２の両面粘着テープ２００を用意する。そして、第２の両面粘着テープ２００から一方側の離型材２０１を剥離し、第２の両面粘着テープ２００の粘着剤層を第２の粘着剤層１２として露出させる。なお、剥離されていない他方側の離型材２０１は、本貼付材１において第２の離型材２０１として機能する。
【００４５】
次に、図２（ｅ）に示すように、露出した第２の粘着剤層１２の一方側の表面１２ａと基材層１３の他方側の表面１３ｂとを貼着することにより、第１の離型材１０１、第１の粘着剤層１１、基材層１３、第２の粘着剤層１２および第２の離型材２０１をこの順に積層する。
【００４６】
最後に、図２（ｆ）に示すように、上記の積層体から第１の離型材１０１を除く層、具体的には、第１の粘着剤層１１、基材層１３、第２の粘着剤層１２および第２の離型材２０１をトムソン刃により切断し、本貼付材１を自爪Ｎの輪郭に沿う形状に整形する。
【００４７】
なお、本貼付材１に使用した第１の両面粘着テープ１００および第２の両面粘着テープ２００は、例えば３Ｍ社の皮膚貼付用の両面粘着テープ（製品番号１５０４ＸＬ、１５２４）等が好適に用いられる。この３Ｍ社の両面粘着テープは、一般に皮膚に対する貼り付けに使用され、芯材がポチエチレン、ポリエステル、ポリウレタンあるいは不織布などのような剛性を有するものではなく、粘性を有するゲル状のシリコン系粘着剤からなる。これを使用した本貼付材１によれば、人口爪Ａを自爪Ｎに貼り付けるに際して、粘着剤層１１，１２の粘着力が強いので本貼付材１が人工爪Ａや自爪Ｎに隙間なく確実に貼着することができる。また、人工爪Ａを自爪Ｎから取り外すに際して、所定の温度の湯に浸す方法以外にも、粘着剤層１１、１２が柔らかいので本貼付１を人工爪Ａや自爪Ｎを強く引っ張らずに剥がすこともできる。
【００４８】
次に、本貼付材１の使用方法について図２および図３を参照しつつ説明する。
【００４９】
本貼付材１は、未使用状態において、図２（ｆ）に示すように、離型材１０１、第１の粘着剤層１１、基材層１３、第２の粘着剤層１２および離型材２０１がこの順に積層された状態となっている。
【００５０】
まず、図３（ａ）左図に示すように、台紙としての第１の離型材１０１と第１の粘着剤層１１とを剥離する。このとき、図３（ａ）右図に示すように、第１の粘着剤層１１、基材層１３、第２の粘着剤層１２および第２の離型材２０１がこの順に積層された状態となっている。
【００５１】
次に、図３（ｂ）左図に示すように、露出した第１の粘着剤層１１の表面１１ａと使用者の自爪Ｎの表面とを貼着する。貼着の際、本貼付材１が指Ｆの甘皮や自爪Ｎの輪郭に沿わない場合は、本貼付材１を指Ｆの甘皮や自爪Ｎの輪郭に沿う形状にハサミ等でカットしてもよい。このとき、図３（ｂ）右図に示すように、使用者の指Ｆの自爪Ｎ上において、第１の粘着剤層１１、基材層１３、第２の粘着剤層１２および第２の離型材２０１がこの順に積層された状態となっている。
【００５２】
次に、図３（ｃ）左図に示すように、第２の離型材２０１と第２の粘着剤層１２とを剥離し、第２の粘着剤層１２の表面１２ｂを露出させる。このとき、図３（ｃ）右図に示すように、使用者の指Ｆの自爪Ｎ上において第１の粘着剤層１１、基材層１３、および第２の粘着剤層１２がこの順に積層された状態となっており、ゲル状の基材層１３が容易に湾曲するため、本貼付材１が本貼付材１が湾曲形状の自爪Ｎの表面に十分に追従する。
【００５３】
最後に、図３（ｄ）左図に示すように、露出した第２の粘着剤層１２の表面１２ｂと人工爪Ａの裏面とを貼着する。このとき、図３（ｄ）右図に示すように、使用者の指Ｆの自爪Ｎ上において、第１の粘着剤層１１、基材層１３、第２の粘着剤層１２および人工爪Ａがこの順に積層された状態となる。
【００５４】
而して、上述のように本貼付材１が湾曲形状の自爪Ｎの表面に十分に追従することにより、本貼付材１にしわが生じないため、人工爪Ａを自爪Ｎに綺麗に貼り付けることができる。しかも、人工爪Ａを自爪Ｎに貼り付けた状態において、人工爪Ａの上から自爪Ｎが透けて見え、特に無色透明な場合には人工爪Ａが自爪Ｎのように自然なピンク色の外観を有することができる。
【００５５】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５６】
１…本貼付材（人工爪用貼付材）
１１…第１の粘着剤層
１１ａ…一方側の表面（基材層と反対側の表面）
１１ｂ…他方側の表面
１２…第２の粘着剤層
１２ａ…一方側の表面
１２ｂ…他方側の表面（基材層と反対側の表面）
１３…基材層
１３ａ…一方側の表面
１３ｂ…他方側の表面
１００…第１の両面粘着テープ
１０１…第１の離型材
２００…第２の両面粘着テープ
２０１…第２の離型材
Ｆ…指
Ｎ…自爪
Ａ…人工爪
【図１】
0006557584.tif 000002
【図２】
0006557584.tif 000003
【図３】
0006557584.tif 000004